(57)【特許請求の範囲】
【請求項１】
所定板厚を有した複数のパネル体を開閉方向に連結したドア体が、直線部と湾曲部とを備えたガイドレールを移動自在に走行する建築用開閉装置において、隣接するパネル体同士を、隣接部に板厚方向一方に設けた揺動支軸を介して連結し、パネル体同士が屈曲する屈曲姿勢と直線状となる直線姿勢とに揺動変姿自在とする一方、隣接するパネル体の板厚面同士に、前記直線姿勢で板厚方向に係合する山形面を備えた係合突部と係合凹部とをそれぞれ形成するにあたり、前記係合突部の板厚方向他方側の山形面に、弾性を有し、係合突部と係合凹部とのあいだに板厚方向に形成される一方側のクリアランスと他方側のクリアランスとの和よりも厚い気密シートを設けて、パネル体の直線姿勢で、係合凹部が気密シートを押圧し、係合突部を板厚方向一方側に押圧することで、前記両方側のクリアランスを封止するように構成した建築用開閉装置におけるパネル体構造。
【請求項２】
係合突部の板厚方向他方側の山形面は、揺動支軸を中心とする円弧面で形成されるものとし、該円弧面の頂部側の部位は、円弧面より揺動支軸側に偏寄する偏寄面に形成され、気密シートは円弧面から偏寄面にわたって設けられている請求項１に記載の建築用開閉装置におけるパネル体構造。
【請求項３】
係合突部と係合凹部との係合は、少なくとも板厚方向において揺動支軸対向部位に達するように構成されている請求項１または２に記載の建築用開閉装置におけるパネル体構造。
【発明の詳細な説明】
【技術分野】
【０００１】
本発明は、工場や倉庫等の開口部に設けられる建築用開閉装置におけるパネル体構造の技術分野に属するものである。
【背景技術】
【０００２】
一般に、建築用開閉装置のなかには、所定板厚を有した複数のパネル体を開閉方向に連結したドア体が、直線部と湾曲部とを備えたガイドレールを移動自在に走行するよう構成したものがあり、この場合に、ドア体は、開閉方向に隣接するパネル体同士を板厚方向一方に設けた揺動支軸により連結し、ガイドレール湾曲部を走行（移動）する場合では互いに屈曲（揺動）する屈曲姿勢となり、ガイドレール直線部を走行する場合では互いに直線状となる直線姿勢となるように構成されている。このように構成されるドア体は、隣接するパネル体同士は、直線姿勢となったときに板厚方向に位置ズレを生じないための構成が必要となるとともに、隣接パネル体同士が揺動姿勢から直線姿勢に変姿する場合に、板厚面同士の板厚方向他方（揺動支軸配設部の反対側）側部位のあいだが離間する状態から近接対向（当接）する状態となるため、該部位に指を挟まれる惧れがあり、これを防止するための構成が必要となる。
【０００３】
このような要求を解決する構成の一つとして、隣接するパネル体の板厚方向一方に揺動支軸を設けるとともに、隣接する板厚面のうち、一方のパネル体の板厚面の板厚方向中間部に、他方のパネル体側に突出する山形面を備えた係合突部を形成する一方、他方のパネル体の板厚面の板厚方向中間部に、前記係合突部が係合する係合凹部を形成して、係合凹部における板厚方向他方の山形面が係合突部の突面に沿って揺動するように構成することで板厚方向の位置ズレの防止を図るとともに、板厚方向他方側における係合凹部の端縁部と係合突部の突出基端縁部とのあいだに指挟みを生じない隙間を形成する構成として、パネル体同士がガイドレール湾曲部を移動する屈曲姿勢では、係合突部が外部に露出して指が板厚面の奥側に入り込むのを防止し、パネル体同士が直線状となる直線姿勢では、係合凹部の前記端縁部と係合突部の突出基端縁部とのあいだの隙間により指挟みが生じないようにしたものが提唱されている。
【特許文献１】特許公報第２８６８２５３号
【発明の開示】
【発明が解決しようとする課題】
【０００４】
一方、このような開閉装置において、ドア体の内外を断熱するようドア体に断熱機能を付与することがあり、この場合では、隣接するパネル体同士の気密性が強く要求される。ところで、前記従来のもののように、揺動支軸を支点として係合凹部と係合突部とが嵌合状の係合をする場合、該揺動作動を円滑、かつ、確実にするため、係合突部と係合凹部との板厚方向のあいだに所定の隙間が必要となり、該隙間は、パネル体同士の直線姿勢で係合突部と係合凹部との板厚方向両側の山形面同士のあいだに形成される。このような隙間は、ドア体のガタつきの要因となるばかりでなく、ドア体により閉鎖された空間の内外における断熱性能を低下させることになるため、前記従来のものでは、係合突部の板厚方向他方の山形面に封止部材を設けているが、該封止部材は、板厚方向他方側の隙間を封止するのみであるので、ガタつき対策に対してだけでなく、断熱対策に対しても充分な効果を発揮することが難しく、このような構成のパネル体に断熱材を介装して断熱仕様としたとしても、連結部における断熱性が劣るため、このままの構成を断熱ドア装置として採用することはできず、ここに本発明の解決すべき課題がある。
【課題を解決するための手段】
【０００５】
本発明は、上記の如き実情に鑑みこれらの課題を解決することを目的として創作されたものであって、請求項１の発明は、所定板厚を有した複数のパネル体を開閉方向に連結したドア体が、直線部と湾曲部とを備えたガイドレールを移動自在に走行する建築用開閉装置において、隣接するパネル体同士を、隣接部に板厚方向一方に設けた揺動支軸を介して連結し、パネル体同士が屈曲する屈曲姿勢と直線状となる直線姿勢とに揺動変姿自在とする一方、隣接するパネル体の板厚面同士に、前記直線姿勢で板厚方向に係合する山形面を備えた係合突部と係合凹部とをそれぞれ形成するにあたり、前記係合突部の板厚方向他方側の山形面に、弾性を有し、係合突部と係合凹部とのあいだに板厚方向に形成される一方側のクリアランスと他方側のクリアランスとの和よりも厚い気密シートを設けて、パネル体の直線姿勢で、係合凹部が気密シートを押圧し、係合突部を板厚方向一方側に押圧することで、前記両方側のクリアランスを封止するように構成した建築用開閉装置におけるパネル体構造である。
請求項２の発明は、係合突部の板厚方向他方側の山形面は、揺動支軸を中心とする円弧面で形成されるものとし、該円弧面の頂部側の部位は、円弧面より揺動支軸側に偏寄する偏寄面に形成され、気密シートは円弧面から偏寄面にわたって設けられている請求項１に記載の建築用開閉装置におけるパネル体構造である。
請求項３の発明は、係合突部と係合凹部との係合は、少なくとも板厚方向において揺動支軸対向部位に達するように構成されている請求項１または２に記載の建築用開閉装置におけるパネル体構造である。
【発明の効果】
【０００６】
請求項１の発明とすることにより、各パネル体の直線姿勢において、板厚方向における気密性が高められて高断熱性のドア体となるうえ、ガタつきを低減できる。
請求項２の発明とすることにより、気密シートの剥離を防止できて、耐久性の向上が図れる。
請求項３の発明とすることにより、係合凹部による係合突部を板厚方向一方側に押圧する作動が確実になる。
【発明を実施するための最良の形態】
【０００７】
つぎに、本発明の実施の形態について、図面に基づいて説明する。
図面において、１はオーバーヘッド式の建築用開閉装置であって、該建築用開閉装置１を構成するドア体（開閉体）２は、後述するように、複数枚の左右方向長尺状のパネル体３を、ドア体２の開閉方向に揺動自在（屈曲自在）に連結することにより構成されており、各パネル体３の左右両側部にはそれぞれガイドローラ３ａが設けられている。そして、躯体開口部には左右一対のガイドレール４が設けられているが、各ガイドレール４は、開口部側部に立設される直線状の垂直レール４ａ（本発明の直線部に相当する）と、開口部奥側の天井部に設けられる直線状の水平レール４ｂ（本発明の直線部に相当する）と、これら各レール４ａ、４ｂのあいだを連結する湾曲状のＲ状レール４ｃ（本発明の湾曲部に相当する）とを備えて構成されている。前記ガイドレール４の各レール４ａ、４ｂ、４ｃには連通状のガイド溝４ｄが形成されており、該ガイド溝４ｄに、前記各パネル体３のガイドローラ３ａが移動自在に嵌合するように構成されている。
【０００８】
５は、開口部上方に回転自在に支持される回転軸であって、該回転軸５の左右両端部には一対のワイヤドラム５ａが回転軸５と一体回転する状態で外嵌固定されており、これらワイヤドラム５ａに巻装されるワイヤ５ｂの遊端は、ドア体２を構成する各パネル体３のうち、最下端に位置する最下端パネル体３ｂに連結されている。そして、回転軸５が正逆回転することに伴いワイヤドラム５ａが回転すると、ワイヤドラム５ａからワイヤ５ｂが巻き出し、巻き戻しされ、これによって、ドア体２は、ガイドレール４に案内される状態で移動して、垂直レール４ａに位置して開口部を閉鎖する全閉姿勢と、水平レール４ｂに位置して開口部を開放する全開姿勢とのあいだを移動するように構成されており、該開閉移動の過程で、ドア体２がガイドレール４のＲ状レール４ｃを移動する場合では、隣接するパネル体３同士が適宜揺動角度を存して揺動し、互いに屈曲する屈曲姿勢となり、垂直レール４ａ、水平レール４ｂを移動する場合では、隣接するパネル体３同士が直線状に連結する直線姿勢となるように構成されている。
【０００９】
一方、前記回転軸５は、開口部上方の躯体に複数固定された支持ブラケット６に回転自在に軸承されており、回転軸５と支持ブラケット６とのあいだには左右一対のバランス弾機７が介装されている。これらバランス弾機７は、回転軸５がドア体２を閉鎖する方向に回転することにより蓄勢力が付与されるように設定されており、該蓄勢力は、ドア体２の開閉作動の過程で、ワイヤ５ｂに作用するドア体２の荷重にバランスするように設定されている。そして、ドア体２は、手動による開閉操作がなされることに伴い回転軸５が正逆回転するように構成されるが、閉鎖操作ではドア体２の自重に基づく閉鎖作動となって軽快な閉鎖操作がなされ、開放操作ではドア体２の閉鎖作動において蓄勢されたバランス弾機７の蓄勢力により軽快な開放操作がなされるように構成されている。
【００１０】
そして、本実施の形態のドア体２は断熱機能が付与されたものに構成されており、各パネル体３には本発明が実施された断熱構成が実施されている。
ここで、各パネル体３の構成について説明するにあたり、パネル体３は、ガイドレール４の垂直レール４ａ、水平レール４ｂ、Ｒ状レール４ｃの各部位の案内状態に対応して姿勢を変化するが、図３に示すパネル体３の姿勢を基準として説明する。
前記パネル体３は、金属製板材で構成される表裏一対（板厚方向一対）の面板８、９を備えて構成されており、各面板８、９の上下縁部は、熱伝導率の低い樹脂材により構成される上下一対の上、下側端面部材１０、１１によりそれぞれ連結されるように構成されている。そして、これら各面板８、９、上、下側端面部材１０、１１とで囲繞された部位には高断熱性の樹脂材で構成された断熱材１２が介装（充填）されており、これによって、各パネル体３の高い断熱性を確保するように構成されている。
【００１１】
前記表面板８の上端縁部は、裏面板９側、かつ、上方に向けて傾斜状に折曲する退避片８ａが形成され、該退避片８ａの先端に、裏面板９側に向けて折曲する上側折曲片８ｂが形成されており、該上側折曲片８ｂは、パネル体３の裏面板側に偏寄した部位に設けられるように構成されている。また、表面板８の下端縁部には、裏面板９側に向けて折曲する下側折曲片８ｃが形成されている。
一方、裏面板９の上下端縁部には、表面板８側に向けて折曲する上、下側折曲片９ａ、９ｂがそれぞれ形成されている。
【００１２】
そして、隣接するパネル体３の互いに対向する面であり、本発明の板厚面を構成する上、下側端面部材１０、１１のうち、上側端面部材１０は、表裏方向両端部に位置し、それぞれ板厚方向外方（各面板８、９側）に向けて開口する凹溝状の面板固定部１０ａ、１０ｂが形成されており、これら面板固定部１０ａ、１０ｂに、表面板上側折曲片８ｂと、裏面板上側折曲片９ａとがそれぞれ嵌合係止するように構成されている。さらに、上側端面部材１０には、面板固定部１０ａ、１０ｂのあいだに位置し、上方に向けて突出することでパネル体３の板厚方向を向く山形面を備えた係合突部１０ｃが形成されている。
前記下側端面部材１１は、表裏方向両端部に位置し、それぞれ板厚方向外方（各面板８、９側）に向けて開口する凹溝状の面板固定部１１ａ、１１ｂが形成されており、これら面板固定部１１ａ、１１ｂに、表面板下側折曲片８ｃと、裏面板下側折曲片９ｂとがそれぞれ嵌合係止するように構成されている。さらに、下側端面部材１１には、面板固定部１１ａ、１１ｂのあいだに位置し、上方に向けて凹陥状とすることでパネル体３の板厚方向を向く山形面を備えた係合凹部１１ｃが形成されているが、該係合凹部１１ｃは、後述するように、上側端面部材１０に形成された係合突部１０ｃを遊嵌状に内嵌するように構成されている。
【００１３】
このように構成された各パネル体３は、一対のパネル体３を上下方向に隣接させ、左右方向複数箇所において丁番１３により連結するが、これら丁番１３は、上下一対の取り付け片１３ａと、揺動支軸となる枢支ピン１３ｂとを備えて構成されている。そして、各丁番１３の一対の取り付け片１３ａを、上下のパネル体３の裏面板９にそれぞれ固定することにより、隣接パネル体３同士は、パネル体３の板厚方向一方において、パネル体３の隣接部（あいだ）に枢支ピン１３ｂが位置する状態で連結されるように設定されている。これによって、隣接するパネル体３同士は枢支ピン１３ｂを揺動支点として揺動し、屈曲姿勢では、表面板８同士のあいだが互いに離間して、下側に位置するパネル体３の上側端面部材１０の係合突部１０ｃが外部に露出し、直線姿勢では、係合突部１０ｃが係合凹部１１ｃに嵌合して板厚方向の係合がなされて位置ズレが防止された状態となるように構成されている。
【００１４】
ここで、隣接パネル体３同士の直線姿勢において、裏面板９側の下側端面部材１１の面板固定部１１ｂと上側端面部材１０の面板固定部１０ｂとは、上下方向に並列する位置関係となっており、これらのあいだに形成される空隙部に、前記丁番１３の枢支ピン１３ｂの半部が遊嵌するように設定されている。また、表面板８側の下側端面部材１１の面板固定部１１ａと上側端面部材１０の面板固定部１０ａとは、下側端面部材面板固定部１１ａが表面板８側に位置する状態で板厚方向に並列する位置関係となっており、下側端面部材面板固定部１１ａの下方に表面板８の傾斜片８ａが対向しており、これらのあいだの上下方向所定長さに設定された空隙部Ｈにより、指挟みが防止されるように設定されている。さらに、これら面板固定部１１ａ、１０ａとは、枢支ピン１３ｂの配設位置よりも下方に位置するように形成されており、これによって、係合突部１０ｃと係合凹部１１ｃとの表面板８側における係合は、板厚方向を基準として枢支ピン１３ｂ配設位置よりも下方位置となるように設定されている。
【００１５】
さらに、上側端面部材１０の係合突部１０ｃにおいて、板厚方向一方となる枢支ピン１３ｂ側（裏面板９に対向する側）の突部裏面側山形面１０ｄは、所定の傾斜角度を存した直線状に形成されている。そして、係合突部１０ｃの板厚方向他方となる表面板８側の突部表面側の山形面は、突出基端側部位においては枢支ピン１３ｂを中心とする所定の外径Ｒ１を有した小径円弧面１０ｅに形成されており、該小径円弧面１０ｅの頂部側部位（突出先端側部位）においては、前記小径円弧面１０ｅに沿う軌跡よりも枢支ピン１３ｂ側（内径側）に偏寄する偏寄面１０ｆに形成されている。さらに、偏寄面１０ｆの先端側となる頂部には、前記小径円弧面１０ｅの軌跡に達するべく外径側に突出する突部１０ｇが形成されており、該突部１０ｇの突出端部が、枢支ピン１３ｂ側の突部裏面側山形面１０ｄと一体化する形状となっている。また、円弧面１０ｅの基端側部位には、外方（表面板８側）が開口する蟻溝状の取り付け凹部１０ｈが形成されており、該取り付け凹部１０ｈには、舌片１４ａを備えた封止体１４の基端部を抜け止め状に内嵌するように構成されている。
【００１６】
また、下側端面部材１１の係合凹部１１ｃにおいて、板厚方向一方側である裏面板９側は、前記突部裏面側山形面１０ｄと同様の傾斜角度を存した直線状の凹部裏面側山形面１１ｄに形成されている。一方、係合凹部１１ｃの板厚方向他方となる表面板８側には、枢支ピン１３ｂを中心とし、小径円弧面１０ｅの外径Ｒ１よりも大径となる内径Ｒ２（Ｒ２＞Ｒ１）を有した大径円弧面１１ｅに形成されている。さらに、大径円弧面１１ｅの基端側部位には、前記封止体１４の舌片１４ａが嵌入する段差状凹部１１ｆが形成されている。ここで、前記段差状凹部１１ｆの下側側片を構成する面板固定部１１ａは、裏面板９側となる内側面１１ｇの枢支ピン１３ｂからの距離が、大径円弧面１１ｅにおける径Ｒ２よりも僅かに大径となるように設定されている。
【００１７】
そして、パネル体３同士の揺動は、大径円弧面１１ｅが、小径円弧面１０ｅに沿ってなされることになるが、前述したように、小径円弧面１０ｅの外径Ｒ１は大径円弧面１１ｅの内径Ｒ２よりも小さく設定されてクリアランス（間隙）が形成されいるとともに、突部裏面側山形面１０ｄと凹部裏面側山形面１１ｄとのあいだにもクリアランスが形成されるように設定されており、これによって、揺動作動が円滑、かつ、確実になされるように構成されている。ここで、パネル体３同士の直線姿勢において、前記係合突部１０ｃと係合凹部１１ｃとのあいだの板厚方向を向くクリアランスは、小径円弧面１０ｅと大径円弧面１１ｅとのあいだの第一クリアランスＣ１と、突部裏面側山形面１０ｄと凹部裏面側山形面１１ｄとのあいだの第二クリアランスＣ２とに設定されている。尚、前記第二クリアランスＣ２は第一クリアランスＣ１よりも小さく（Ｃ１＞Ｃ２）設定されている。因みに、偏寄面１０ｆと大径円弧面１１ｅとのあいだのクリアランスは、前記第一クリアランスＣ１よりも大きくなっている。
【００１８】
そして、係合突部１０ｃの小径円弧面１０ｅから偏寄面１０ｆに至る部位には、弾性変形が自在なシート状の気密材である気密シート１５が貼着等の一体化手段により左右方向全長にわたって設けられているが、気密シート１５の上側縁部は、係合突部１０ｃの頂部（上端部）となる突部１０ｇの基端部に突き当てられるように配設されている。前記気密シート１５のシート厚Ｓは、前記係合突部１０ｃと係合凹部１１ｃとのあいだの板厚方向のクリアランスである前記第一、第二クリアランスＣ１、Ｃ２の和よりも厚く（Ｓ＞（Ｃ１＋Ｃ２））なるように設定されている。これによって、パネル体３同士が直線姿勢に変姿した場合に、気密シート１５が大径円弧面１１ｅにより弾圧状に押圧され、係合突部１０ｃと係合凹部１１ｃとのあいだの表面板８側の第一クリアランスＣ１が封止されるとともに、大径円弧面１１ｅの弾圧力を受けた小径円弧面１０ｅ（係合突部１０ｃ）は、丁番１３の遊びに基づき、該枢支ピン１３ｂを支点として裏面板９側（板厚方向一方側）に押しやられ（変位し）て、裏面板９側の突部裏面側山形面１０ｄと凹部裏面側山形面１１ｄとのあいだの第二クリアランスＣ２を封止するように設定されている。
【００１９】
また、開口部の左右両側部を構成する躯体左右縁部には、Ｌ字形に形成された取り付け片１６の一方の脚片１６ａが固定されており、該取り付け片１６の他方の脚片１６ｂに、前記ガイドレール４が固定されている一方、各パネル体３は、裏面板９側にガイドローラ３ａが軸承されており、ガイドローラ３ａをガイドレール４のガイド溝４ｄに嵌合させることにより、各パネル体３は、表面板８側の左右両端部が躯体左右縁部にそれぞれ近接対向するとともに、表面板８側が開口部の上部を構成する躯体上縁部（まぐさ部）に近接対向するように構成されている。
これに対し、躯体左右縁部には、各パネル体３の左右両端部とのあいだを封止するゴム質弾性材で構成された舌片状の第一封止部材１７と円筒状の第二封止部材１８とが左右に並列する状態で上下方向全長にわたって設けられており、さらに、躯体上縁部には、前記ゴム質弾性材で構成された前記第一、第二封止部材１７、１８と同様のものが上下方向に並列する状態で左右方向全長にわたって設けられている。
【００２０】
一方、各パネル体３の左右両端部には、断熱材１２を覆うとともにガイドローラ３ａを取り付けるべく金属製の框部材３ｄが表裏面板８、９を連結する状態で設けられるが、表面板８の左右両端部には框部材３ｄとのあいだに介装される状態で樹脂製の端部材１９が上下方向に長く設けられていて、表裏面板８、９間の断熱をするように構成されている。尚、前記端部材１９は、図６に示すように、躯体左右側縁部の第二封止部材１８に対向する状態で設けられており、表面板８に形成された空隙部Ｈの左右端部位を塞ぎ、封止性を向上する効果も得られるように構成されている。また、ドア体２の全閉姿勢で最上位に位置する最上端パネル体３ｃの上縁部には、図７に示すように、樹脂製の上端部材２０が左右方向全長にわたって設けられており（図７参照）、ドア体２の断熱効果をさらに高めることができるとともに、表面板８側における確実な封止ができるように構成されている。
さらに、前記端部材１９により塞がれた各パネル体３の空隙部Ｈには、それぞれ樹脂製の緩衝材２１が設けられており、断熱性能の向上、そして、表面板８側における封止が一層確実になるように構成されている。これらの構成により、ドア体２と躯体開口部とのあいだの封止性が高められ、ドア体２の断熱機能を有効に発揮できるように構成されている。
【００２１】
つぎに、各パネル体３同士の揺動作動における封止性について説明する。
各パネル体３同士の直線姿勢では、図４に示すように、係合凹部１１ｃの段差状凹部１１ｆに封止体１４の舌片１４ａの先端部が干渉し、大径円弧面１１ｅが気密シート１５の外面に弾圧状に当接（圧接）した状態となっており、この状態では、係合凹部１１ｃの大径円弧面１１ｅが気密シート１５に弾圧し、大径円弧面１１ｅと小径円弧面１０ｅとのあいだが封止されるとともに、大径円弧面１１ｅが係合突部１０ｃの小径円弧面１０ｅを裏面板９側に押しやることで、突部裏面側山形面１０ｄが凹部裏面側山形面１１ｄ側に変位して密接状態となり、ドア体２により仕切られた空間の内外における封止が確実になされて、高い断熱性能を発揮できるとともに、係合突部１０ｃと係合凹部１１ｃとが密接状態となって、ガタつきが生じないように構成されている。
【００２２】
このものにおいて、直線姿勢から屈曲姿勢に変姿する場合では、小径円弧面１０ｅに設けられた気密シート１５の外周面を、大径円弧面１１ｅの内周面が摺動する状態で変姿（図５（Ｃ）、（Ｂ）参照）するように設定されている。このとき、大径円弧面１１ｅよりも僅かに大径に設定される係合凹部１１ｃの内側面１１ｇは、気密シート１５の外周面に干渉しないように寸法設定されており、内側面１１ｇが揺動変姿の過程で気密シート１５の下端縁を擦ってしまうようなことはなく、気密シート１５の下端縁の剥離が防止されるように設定されている。そして、大径円弧面１１ｅの内周面と気密シート１５外周面との摺接は、小径円弧面１０ｅよりも小径な傾斜面に設定された偏寄面１０ｆの対向部位に至ることで離間状態となるように設定され、大径円弧面１１ｅが気密シート１５の上縁部に干渉することがないように構成されている。
尚、本実施の形態では、各パネル体３同士は、内側面１１ｇが偏寄面１０ｆ対向部位に達する状態で屈曲姿勢における最大屈曲角度となる（図５（Ａ）参照）ように構成されている。ここで、各パネル体３同士の最大屈曲角度は、Ｒ状レール４ｃの曲率、各パネル体３の上下方向長さにより決定されるが、本実施の形態では、図５（Ａ）に示すように、係合凹部１１ｃの内側面１１ｇが係合突部１０ｃの突部１０ｇを越えない角度となるように設定されており、これによって、係合突部１０ｃと係合凹部１１ｃとのあいだに指が入り込むようなことを確実に防止できるように構成されている。
【００２３】
これに対し、前記屈曲姿勢から直線姿勢に変姿する場合では、枢支ピン１３ｂを支点として揺動することに伴い、係合凹部１１ｃの大径円弧面１１ｅが気密シート１５に対して離間する状態から気密シート１５の外面に当接し、この状態からは、大径円弧面１１ｅの内周面が気密シート１５の外周面を摺動しながら揺動し、これによって、揺動変姿する過程で、指がパネル体３間の奥側に入り込むのを防止できるように設定されている。そして、直線姿勢に近付くに従い、大径円弧面１１ｅの基端部が枢支ピン１３ｂに対して表裏方向対向部位に近付き、気密シート１５に対する弾圧力がそのまま水平方向を向く力となり、係合突部１０ｃを裏面板９側に押しやる作動が確実になるように構成されている。そして、このものでは、気密シート１５の上端縁が偏寄面１０ｆに貼着されている一方、大径円弧面１１ｅの内周面が気密シート１５に摺動する範囲は、偏寄面１０ｆよりも下方の小径円弧面１０ｅ対向部位となっているので、気密シート１５の上端縁に大径円弧面１１ｅが干渉することがなく、気密シート１５の上端縁が剥離してしまうのを防止できるように構成されている。
【００２４】
叙述の如く構成された本形態において、複数のパネル体３を揺動自在に連結したドア体２を、Ｒ状レール４ｃを備えたガイドレール４を移動自在に案内することで、開口部を開閉するよう構成されたオーバーヘッド式の建築用開閉装置１において、各パネル体３同士の連結は、上、下側端面部材１０、１１に形成される係合突部１０ｃと係合凹部１１ｃとの係合により、板厚方向のガタつき防止がなされるとともに、パネル体３のあいだに指が挟まれるのを防止することができるが、このものでは、各パネル体３に断熱材１２を介装するとともに、係合突部１０ｃと係合凹部１１ｃとのあいだに気密シート１５、および、封止体１４を設けることにより、断熱機能を備えた開閉装置１となっている。この場合に、係合突部１０ｃと係合凹部１１ｃとのあいだの表面板８側の気密シート１５は、係合凹部１１ｃの大径円弧面１１ｅにより弾圧状に押圧されており、大径円弧面１１ｅが気密シート１５を介して係合突部１０ｃの小径円弧面１０ｅを押圧して、突部裏面側山形面１０ｄを凹部裏面側山形面１１ｄ側に変位させるので、気密シート１５を介装することにより、係合突部１０ｃと係合凹部１１ｃとのあいだの表面板８側の第一クリアランスＣ１ばかりでなく、裏面板９側の第二クリアランスＣ２をも封止することができる。これによって、各パネル体３の直線姿勢において、ドア体２の板厚方向における気密性が高められて、高断熱性のドア体２とすることができるうえ、ドア体２のガタつきを低減することができる。
【００２５】
しかも、このものでは、係合突部１０ｃに設けられた気密シート１５を係合凹部１１ｃの大径円弧面１１ｅにより弾圧状に押圧して、係合突部１０ｃを第二クリアランスＣ２分だけ板厚方向に変位させる構成であるため、大径円弧面１１ｅが気密シート１５に対して強く摺接することになるが、気密シート１５は、小径円弧面１０ｅよりもさらに小径となる偏寄面１０ｆにわたって設けられ、気密シート１５の上端縁部が係合凹部１１ｃに摺動されることがなく、もって、気密シート１５が係合突部１０ｃから剥離するのが防止され、気密シート１５の耐久性が向上して信頼性の高いドア体２とすることができる。
【００２６】
さらに、このものにおいて、各パネル体３の直線姿勢において、大径円弧面１１ｅの下端縁は、枢支ピン１３ｂによる揺動支点位置よりも下方に位置し、大径円弧面１１ｅ下端部による気密シート１５に対する弾圧力が裏面板９側に向けて作用することになり、係合突部１０ｃを裏面板９側に押圧する作動を一層確実にできる。
【００２７】
そのうえ、このものにおいて、気密シート１５は弾性を備え、しかもシート厚Ｓが係合突部１０ｃと係合凹部１１ｃとのあいだに形成される隙間よりも厚く設定されているので、各パネル体３の直線姿勢で前記隙間を閉塞するのが確実になって、ドア体２の断熱効果、ガタつき防止効果を一層顕著に発揮できる。
【図面の簡単な説明】
【００２８】
【図１】建築用開閉装置の一部を切り欠いた背面図である。
【図２】建築用開閉装置の一部を切り欠いた側面図である。
【図３】図３（Ａ）、（Ｂ）はそれぞれパネル体の背面図、図３（Ａ）におけるＸ−Ｘ断面図である。
【図４】パネル体同士の直線姿勢を説明する要部拡大正面図である。
【図５】図５（Ａ）、（Ｂ）、（Ｃ）はそれぞれパネル体同士の屈曲姿勢を説明する要部拡大側面図である。
【図６】建築用開閉装置の一部平面図である。
【図７】建築用開閉装置の上部における一部側面図である。
【符号の説明】
【００２９】
１    建築用開閉装置
２    ドア体
３    パネル体
４    ガイドレール
５    回転軸
７    バランス弾機
８    表面板
９    裏面板
１０    上側端面部材
１０ｅ    小径円弧面
１０ｆ    偏寄面
１１    下側端面部材
１１ｅ    大径円弧面
１２    断熱材
１３    丁番
１５    気密シート
１７    第一封止部材
【図１】
0005027570.tif 000002
【図２】
0005027570.tif 000003
【図３】
0005027570.tif 000004
【図４】
0005027570.tif 000005
【図５】
0005027570.tif 000006
【図６】
0005027570.tif 000007
【図７】
0005027570.tif 000008